(57)【特許請求の範囲】
【請求項１】
スクリーンの現在受ける圧力の状態を取得するステップと、
前記スクリーンの現在受ける圧力の状態が所定状態に達したか否かを判断するステップと、
前記スクリーンの現在受ける圧力の状態が前記所定状態に達した場合に、警告動作を行うステップと、を備え、
前記圧力の状態は、力点及び力点の圧力値を含み、
前記スクリーンの現在受ける圧力の状態が所定状態に達したか否かを判断するステップは、
前記力点の個数に基づいて圧力値の所定基準を確定するステップと、
前記力点の圧力値が前記圧力値の所定基準に達したか否かを判断し、達した場合は前記所定状態になったと判断するステップと、を備え、
前記力点の個数に基づいて圧力値の所定基準を確定することは、
力点の個数が１個である場合、圧力値の所定基準を第１サブ基準と確定するステップと、または、
力点の個数が４個より大きいかまたは等しい場合、圧力値の所定基準を第２サブ基準と確定するステップと、を備えることを特徴とするスクリーン保護方法。
【請求項２】
前記第１サブ基準は、前記力点が受ける圧力値が第１所定圧力値に等しいまたは大きいことを含み、
前記第２サブ基準は、少なくとも１個の力点の圧力値が第１所定圧力値より大きいまたは等しい或いは、少なくとも４個の力点の圧力値が第２所定圧力値より大きいまたは等しいことを含むことを特徴とする請求項１に記載のスクリーン保護方法。
【請求項３】
前記圧力の状態は力点間の距離をさらに含み、
前記力点の個数に基づいて圧力値の所定基準を確定するステップは、
前記力点の個数が２個より大きいまたは等しい且つ前記力点中２つの力点間の距離が所定距離より小さい場合、圧力値の所定基準を第３サブ基準と確定するステップ、を備えることを特徴とする請求項１に記載のスクリーン保護方法。
【請求項４】
前記圧力の状態は力点の受圧時間をさらに含み、
前記力点の個数に基づいて圧力値の所定基準を確定するステップは、
前記力点の個数が少なくとも１個であり、且つ前記力点の受圧時間が所定時間より長い場合、圧力値の所定基準を第４サブ基準とするステップ、を備えることを特徴とする請求項１に記載のスクリーン保護方法。
【請求項５】
前記警告動作を実行するステップは、
前記スクリーンにおける前記所定状態に達した力点をハイライト表示するステップと、
警告情報を出力するステップと、
のいずれかまたは複数、を備え、
前記警告情報は、前記スクリーンにおける前記所定状態に達した力点の位置説明を含み、前記警告情報は文字情報及び／または音声情報を含むことを特徴とする請求項１ないし請求項４のいずれかに記載のスクリーン保護方法。
【請求項６】
スクリーンの現在受ける圧力の状態を取得する取得モジュールと、
前記取得モジュールが取得した前記スクリーンの現在受ける圧力の状態は所定状態に達したか否かを判断する判断モジュールと、
前記判断モジュールが前記スクリーンの現在受ける圧力の状態が前記所定状態に達したと判断した場合、警告動作を実行するアラームモジュールと、を備え、
前記圧力の状態は、力点および前記力点の圧力値を含み、
前記判断モジュールは、
前記力点の個数に基づいて圧力値の所定基準を判断する確定サブモジュールと、
前記力点の圧力値が前記確定サブモジュールに確定された前記圧力値の所定基準に達したか否かを確定し、達した場合に所定状態になったと判断する第１判断サブモジュールと、を備え、
前記確定サブモジュールは、力点の個数が１個である場合、圧力値の所定基準を第１サブ基準と確定し、または、力点の個数は４個より大きいかまたは等しい場合、圧力値の所定基準を第２サブ基準と確定することを特徴とするスクリーン保護装置。
【請求項７】
前記第１サブ基準は、前記力点の受ける圧力値が第１所定圧力値に等しいまたは大きいことを含み、
前記第２サブ基準は、少なくとも１個の力点の圧力値が第１所定圧力値より大きいまたは等しく、或いは、少なくとも４個の力点の圧力値が第２所定圧力値より大きいまたは等しいことを含むことを特徴とする請求項６に記載のスクリーン保護装置。
【請求項８】
前記圧力の状態は力点間の距離をさらに含み、
前記確定サブモジュールは、前記力点の個数が２個より大きいまたは等しい且つ前記力点中２つの力点間の距離が所定距離より小さい場合、前記圧力値の所定基準を第３サブ基準とすることを特徴とする請求項６に記載のスクリーン保護装置。
【請求項９】
前記圧力の状態は力点の受圧時間をさらに含み、
前記確定サブモジュールは、前記力点の個数が少なくとも１個であり且つ前記力点の受圧時間が所定時間より長い場合、圧力値の所定基準を第４サブ基準とすることを特徴とする請求項６に記載のスクリーン保護装置。
【請求項１０】
前記アラームモジュールは、
スクリーンにおける所定状態に達した力点をハイライト表示する第１アラームサブモジュール、及び/又は、
警告情報を出力する第２アラームサブモジュールと
のいずれかまたは複数を備え、
警告情報は、スクリーンにおける所定状態に達した力点の位置説明と文字情報及び／または音声情報を含むことを特徴とする請求項６ないし請求項９のいずれかに記載のスクリーン保護装置。
【請求項１１】
プロセッサと、
プロセッサの実行可能な指令を記憶するためのメモリと、を備え、
前記プロセッサは、
スクリーンの現在受ける圧力の状態を取得し、
前記スクリーンの現在受ける圧力の状態が所定状態に達したか否かを判断し、
前記スクリーンの現在受ける圧力の状態が前記所定状態に達した場合、警告動作を行うように構成され、
前記圧力の状態は力点および前記力点の圧力値を含み、
前記スクリーンの現在受ける圧力の状態が所定状態に達したか否かを判断する場合は、
前記力点の個数に基づいて圧力値の所定基準を確定し、
前記力点の圧力値が前記圧力値の所定基準に達したか否かを判断し、達した場合は前記所定状態になったと判断し、
前記力点の個数に基づいて圧力値の所定基準を確定する場合は、
力点の個数が１個である場合、圧力値の所定基準を第１サブ基準と確定し、または、
力点の個数が４個より大きいかまたは等しい場合、圧力値の所定基準を第２サブ基準と確定する、
ことを特徴とするスクリーン保護方法。
【発明の詳細な説明】
【技術分野】
【０００１】
本開示は、スクリーン保護技術分野に関し、特に、スクリーン保護の方法及び装置に関する。
【背景技術】
【０００２】
現在、スクリーンを有するスマート機器は人々の生活においてますます重要になってきている。しかしながら、スクリーンの破砕性を有しているため、受ける圧力が大きすぎると、スクリーンが破砕し、スマート機器の使用ができなくなり、ユーザの作業を妨げるだけでなく、ユーザの経済的損失と時間的浪費にもなる。
【発明の概要】
【発明が解決しようとする課題】
【０００３】
関連技術に存在する問題点を解決するため、本開示の実施例は、スクリーン保護方法及び装置を提供し、その解決手段は以下の通りである。
【課題を解決するための手段】
【０００４】
本開示の実施例の第１の様態によれば、スクリーン保護方法を提供する。
【０００５】
前記保護方法は、
スクリーンが現在受ける圧力の状態を取得するステップと、
前記スクリーンの現在受ける圧力の状態が所定状態に達したか否かを判断するステップと、
前記スクリーンの現在受ける圧力の状態が前記所定状態に達した場合、警告動作を行うステップと、を備え、
前記圧力の状態は力点および前記力点の圧力値を含む。
【０００６】
一実施例において、前記スクリーンの現在受ける圧力の状態が所定状態に達したか否かを判断するステップは、
前記力点の個数に基づいて圧力値の所定基準を確定するステップと、
前記力点の圧力値が前記圧力値の所定基準に達したか否かを判断し、達した場合前記所定状態になったと判断するステップと、を備える。
【０００７】
一実施例において、前記力点の個数に基づいて圧力値の所定基準を確定するステップは、
力点の個数が１個である場合、圧力値の所定基準を第１サブ基準と確定するステップと、または、力点の個数が４個より大きいまたは等しい場合、圧力値の所定基準を第２サブ基準と確定するステップと、を備える。
【０００８】
一実施例において、前記第１サブ基準は、前記力点が受ける圧力値が第１所定圧力値より大きいまたは等しいことを含み、
前記第２サブ基準は、少なくとも１個の力点の圧力値が第１所定圧力値より大きいまたは等しい或いは、少なくとも４個の力点の圧力値が第２所定圧力値より大きいまたは等しいことを含む。
【０００９】
一実施例において、前記圧力の状態は力点間の距離をさらに含み、前記力点の個数に基づいて圧力値の所定基準を確定するステップは、
前記力点の個数が２個より大きいまたは等しい且つ前記力点中２つの力点間の距離が所定距離より小さい場合、前記圧力値の所定基準を第３サブ基準とするステップ、を備える。
【００１０】
前記圧力の状態は力点の受圧時間をさらに含み、
前記力点の個数に基づいて圧力値の所定基準を確定するステップは、前記力点の個数が少なくとも１個であり、且つ前記力点の受圧時間が所定時間より長い場合、圧力値の所定基準を第４サブ基準とするステップと、を備える。
【００１１】
一実施例において、前記警告動作の実行は、前記スクリーンにおける前記所定状態に達した力点をハイライト表示ステップと、
警告情報を出力するステップと
のいずれかまたは複数を備え、
前記警告情報は、前記スクリーンにおける前記所定状態に達した力点の位置説明を含み、前記警告情報は文字情報及び／または音声情報を含む。
【００１２】
本開示の実施例の第２の様態によれば、スクリーン保護装置を提供する。
【００１３】
前記保護装置は、
スクリーンの現在受ける圧力の状態を取得する取得モジュールと、
前記取得モジュールが取得した前記スクリーンの現在受ける圧力の状態が所定状態に達したか否かを判断する判断モジュールと、
前記判断モジュールが前記スクリーンの現在受ける圧力の状態が前記所定状態に達したと判断した場合、警告動作を実行するアラームモジュールと、を備え、
前記圧力の状態は、力点および前記力点の圧力値を含む。
【００１４】
一実施例において、前記判断モジュールは、
前記力点の個数に基づいて圧力値の所定基準を判断する確定サブモジュールと、
前記力点の圧力値が前記確定サブモジュールに確定された前記圧力値の所定基準に達したか否かを確定し、達した場合所定状態になったと判断する判断サブモジュールと、を備える。
【００１５】
一実施例において、前記確定サブモジュールは、さらに、力点の個数が１個である場合、圧力値の所定基準を第１サブ基準と確定し、または、力点の個数は４個より大きいまたは等しい場合、圧力値の所定基準を第２サブ基準と確定する。
【００１６】
一実施例において、前記第１サブ基準は、前記力点の受ける圧力値が第１所定圧力値に等しいまたは大きいことを含み、
前記第２サブ基準は、少なくとも１個の力点の圧力値が第１所定圧力値より大きいまたは等しい或いは、少なくとも４個の力点の圧力値が第２所定圧力値より大きいまたは等しいことを含む。
【００１７】
一実施例において、前記圧力の状態は力点間の距離をさらに含み、
前記確定サブモジュールは、前記力点の個数が２個より大きいまたは等しい且つ前記力点の中２つの力点間の距離が所定距離より小さい場合、前記圧力値の所定基準を第３サブ基準とするのにさらに用いる。
【００１８】
一実施例において、前記圧力の状態は力点の受圧時間をさらに含み、
前記確定サブモジュールは、さらに、前記力点の個数は少なくとも１個であり、且つ前記力点の受圧時間は所定時間より長い場合、圧力値の所定基準を第４サブ基準とする。
【００１９】
一実施例において、前記アラームモジュールは、
前記スクリーンにおける前記所定状態に達した力点をハイライト表示する第１アラームサブモジュール、及び／または、
警告情報の出力に用いる第２アラームサブモジュールと
のいずれかまたは複数を備え、
前記警告情報は、前記スクリーンにおける前記所定状態に達した力点の位置説明をし、文字情報及び／または音声情報を含む。
【００２０】
本開示の実施例の第３の様態によれば、スクリーン保護装置を提供する。
【００２１】
前記保護装置は、
プロセッサと、
プロセッサの実行可能な指令を記憶するためのメモリと、を備え、
前記プロセッサは、
スクリーンの現在受ける圧力の状態を取得し、
前記スクリーンの現在受ける圧力の状態が所定状態に達したか否かを判断し、
前記スクリーンの現在受ける圧力の状態が前記所定状態に達した場合、警告動作を行うように構成され、
前記圧力の状態は、力点および前記力点の圧力値を含む。
【発明の効果】
【００２２】
本開示の実施例にかかる技術案は、以下の有益な効果を含むことができる。
【００２３】
上記解決手段はスクリーン保護技術を提供し、スクリーンの現在受ける圧力の状態及び所定警報ルールに基づいて警告動作を行い、スクリーンが所定状態の圧力を受けているか否かをタイムリーにユーザに知らせることによって、ユーザは降圧対策をタイムリーに講じ、スクリーンの受ける圧力が大きすぎてスクリーンが破砕することを回避し、経済的損失及びスクリーンの破砕による作業への影響を回避することができる。
【００２４】
上述した一般的な記述及び後続する詳細な記述は、単に例示的及び解釈的なものであり、本発明を制限できるものでないと理解されるべきである。
【図面の簡単な説明】
【００２５】
ここでの図面は、明細書を構成する一部とみなされ、本開示に適した実施例を示し、かつ、明細書の文字記載と共に本開示の仕組みを解釈するために用いられる。
【図１】一実施例によるスクリーン保護方法を示すフローチャートである。
【図２】一実施例による別のスクリーン保護方法を示すフローチャートである。
【図３】一実施例によるスクリーン保護装置を示すブロック図である。
【図４】一実施例による別のスクリーン保護装置を示すブロック図である。
【図５】一実施例によるもう一つ別のスクリーン保護装置を示すブロック図である。
【図６】一実施例によるスクリーン保護装置に適用されるブロック図である。
【発明を実施するための形態】
【００２６】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように本発明の一部の態様と一致する装置及び方法の例に過ぎない。
【００２７】
図１は、一実施例によるスクリーンの保護方法を示すフローチャートであり、図１に示すように、タッチパネルまたは液晶パネルスクリーンを有する設備に用いられ、当該方法は以下のステップＳ１０１〜Ｓ１０３を含む。
【００２８】
ステップＳ１０１において、力点および前記力点の圧力値を含むスクリーンの現在受ける圧力の状態を取得する。
【００２９】
ステップＳ１０２において、スクリーンの現在受ける圧力の状態は所定状態に達したか否かを判断する。
【００３０】
ステップＳ１０３において、スクリーンの現在受ける圧力の状態が所定状態に達したと判断した場合、警告動作を行う。
【００３１】
但し、スクリーンは圧力の検出をサポートしており、例えば、従来のタッチパネルスクリーンは圧力の検出または圧力パラメータ値の戻りをサポートする。
【００３２】
一実施例において、上記スクリーンの現在受ける圧力の状態の取得は（ステップＳ１０１）、スクリーンにおける少なくとも１個の力点のそれぞれ現在に受ける圧力値を取得してよい。スクリーンには少なくとも一つの圧力取出部を設け、圧力取出部が検知した位置の圧力がゼロでなかった場合、当該圧力検出点に対応する位置は即ち力点である。力点はスクリーンの中心位置やエッジ位置またはスクリーンの任意の位置にあってもよい。
【００３３】
本開示の実施形態による提供する上記の方法は、スクリーンの現在受ける圧力の状態及び所定警報ルールに基づいて、警告動作を行うことができる。ユーザはスクリーンが所定状態の圧力を受けているか否かをタイムリーに知ることによって、降圧対策をタイムリーに講じられ、スクリーンの受ける圧力が大きすぎてスクリーンが破砕することを回避でき、経済的損失及びスクリーンの破砕による作業への影響を回避することができる。
【００３４】
一実施例において、図２に示すように、ステップＳ１０２はステップＳ２０１と、捨てぷＳ２０２としても実施できる。
【００３５】
ステップＳ２０１において、力点の個数に基づいて圧力値の所定基準を確定する。
【００３６】
ステップＳ２０２において、力点の圧力値が圧力値の所定基準に達したか否かを判断し、達した場合所定状態になったと判断する。すなわち、本開示の実施形態において、異なる個数の力点のために異なる圧力値の所定基準を設定することができ、相応する圧力値の所定基準を満たせば、所定状態に達したと表示する。
【００３７】
また、スクリーンの現在受ける圧力の状態は、力点の個数と力点の圧力値以外に、力点間の距離または力点の受圧時間もさらに含まれてもよい。以下は、異なる圧力の状態に応じてステップＳ２０１のいくつかの異なる実施形態をそれぞれ説明する。
【００３８】
形態一
圧力の状態が力点の個数と力点の圧力値を含み、力点の個数が１個である場合、ステップＳ２０１は、力点の個数が１個であれば、圧力値の所定基準を第１サブ基準と確定するステップとして実施することができる。
【００３９】
第１サブ基準は予め設置された当該１個の力点の受けられる最大の圧力値である。
【００４０】
一実施例において、当該力点はスクリーンの中心位置にあってもよい。スクリーンの中心位置はスクリーンの枠サポート部から離れているので、他の位置に比べて脆弱であり、スクリーンの中心位置に受ける圧力値が第１サブ基準に等しいまたは大きい場合、所定状態に達したと判断でき、後続の警告動作を行うことができ、ユーザにタイムリーなリマインダーができることによって、ユーザがタイムリーに降圧対策を講じ、スクリーンの受ける圧力が大きすぎてスクリーンが破砕することを回避でき、経済的損失及びスクリーンの破砕による作業への影響を回避することができる。もちろん、当該１個の力点はスクリーン内のいずれかの他の位置にあってもよい。
【００４１】
一実施例において、第１サブ基準は、力点の受ける圧力値が第１所定圧力値に等しいまたは大きくであってもよい。第１所定圧力値は予め設定した数値であり、例えば、ユーザが自ら設定した数値であってもよいし、システムが設定してもよく、好ましくは、スクリーンの破砕圧力値と第１所定倍数を乗じた積は、第１所定倍数が１に等しいまたは小さい。破砕圧力値というのは、スクリーンを破砕できる最小の圧力値である。第１所定倍数はユーザが自ら設定してもよいし、システムが設定してもよい。スクリーンの破砕を回避し且つ合理的なタイミングで警告動作を行うために、第１所定倍数を０.５か０.５以上且つ１未満、例えば、０.６、０.7、０.８、０.9に設定すればよい。
【００４２】
形態二
圧力の状態が力点の個数と力点の圧力値を含み、力点の個数が４個より大きいまたは等しい場合、ステップＳ２０１は、力点の個数が４個より大きいまたは等しければ、圧力値の所定基準を第２サブ基準と確定するステップとして実施することができる。
【００４３】
ここで、第２サブ基準は予め設置された当該少なくとも４個の力点の受けられる最大の圧力値である。一実施例において、第２サブ基準は、少なくとも１個の力点の圧力値が第１所定圧力値より大きいまたは等しい或いは、少なくとも４個の力点の圧力値が第２所定圧力値より大きいまたは等しい。
【００４４】
一実施例において、前記少なくとも１個の力点はスクリーンの中心位置にあってもよい。スクリーンの中心位置はスクリーンの枠サポート部から離れているので、他の位置に比べて脆弱であり、スクリーンの中心位置に受ける圧力値が第１所定圧力値に等しいまたは大きい場合、所定状態に達したと判断し、後続の警告動作を行うことができ、ユーザにタイムリーなリマインダーをすることによって、ユーザがタイムリーに降圧対策を講じ、スクリーンの受ける圧力が大きすぎてスクリーンが破砕することを回避でき、経済的損失及びスクリーンの破砕による作業への影響を回避することができる。もちろん、当該１個の力点はまたスクリーン内のいずれかの他の位置にあってもよい。
【００４５】
一実施例において、前記少なくとも４個の力点の位置は、システムが予め設定したスクリーンの比較的脆弱な少なくとも４箇所、例えば、スクリーン中央領域内の４箇所であり、中心領域とは、スクリーンの中心を円心とし、所定長さを半径として形成された一つの円形領域であり、当該円形領域における任意の４個の点を前記少なくとも４個の力点に設定する。第２所定圧力値は所定数値であり、例えば、ユーザが自ら設定した数値であってもよいし、システムが設定してもよく、好ましくは、ユーザが通常スクリーンにタッチする時、所定したスクリーンの受ける圧力と第２所定倍数を乗じた値は、第２所定倍数が１より大きいまたは１である。ユーザが通常スクリーンにタッチする時スクリーンの受ける圧力は、物理的な測定方法により取得できる。第２所定倍数は、予め設定した数値であってもよく、好ましくは、スクリーンの受ける圧力が過大となって破砕するのを回避するために、第２所定倍数を合理的な数値に設定し、例えば、N*T２*A<T１に設定する。ここで、Nは力点の個数、T２はユーザが通常スクリーンにタッチする時スクリーンの受ける圧力、Aは第２所定倍率、T１は前記第１所定圧力値を示す。Aは２、３、４などの数値に等しくてもよい。
【００４６】
スクリーンの少なくとも４個の力点が現在受ける圧力値は第２所定圧力値に等しいまたは大きい場合、警告動作を行う。これによって、ユーザにタイムリーなリマインダーをし、ユーザがタイムリーに降圧対策が講じられ、スクリーンの受ける圧力が大きすぎてスクリーンが破砕することを回避し、経済的損失及びスクリーンの破砕による作業への影響を回避することができる。
【００４７】
形態三
圧力の状態が力点の個数と力点の圧力値以外に、力点間の距離をさらに含む場合、ステップＳ２０１は、力点の個数が２個より大きいまたは等しい且つ力点の中二つの力点間の距離は所定距離より小さいとき、圧力値の所定基準を第３サブ基準と確定するステップとして実施することができる。
【００４８】
ここで、第３サブ基準は予め設置された当該２個より大きいまたは等しい力点の受けられる最大の圧力値である。第３サブ基準は前記第１サブ基準と同じ或いは異なってもよい。
【００４９】
一実施例において、力点の個数は２個より大きいまたは等しい且つ二つの力点間の距離が所定距離より小さいとき、スクリーン上にある比較的小さい領域が今圧力を受けていることを意味しており、当該力点の圧力値が第３サブ基準を満たす場合、警告動作を行い、ユーザにタイムリーに対策を促すことによって、スクリーンの受ける圧力が大きすぎてスクリーンが破砕することを回避し、経済的損失及びスクリーンの破砕による作業への影響を回避することができる。
【００５０】
形態四
圧力の状態が力点の個数と力点の圧力値以外に、受圧時間をさらに含む場合、ステップＳ２０１は、力点の個数が少なくとも１個であり、且つ力点の受圧時間が所定時間より長いとき、圧力値の所定基準を第４サブ基準と確定するステップとして実施することができる。
【００５１】
ここで、第４サブ基準は予め設置された当該少なくとも１個の力点の受けられる最大の圧力値である。第４サブ基準は前記第２サブ基準と同じ或いは異なってもよい。
【００５２】
力点の個数が少なくとも１個であり、且つ力点の受圧時間が所定時間より長いとき、スクリーンは持続的な圧力を今受けていることを意味しており、当該力点の圧力値が第４サブ基準を満たす場合、警告動作を行い、ユーザにタイムリーに対策を促すことによって、スクリーンの受けている持続的な圧力が大きすぎてスクリーンが破砕することを回避し、経済的損失及びスクリーンの破砕による作業への影響を回避することができる。
【００５３】
前述のいずれの実施例において、警告動作の実行動作は、以下のいずれかまたは複数の動作を含む。
【００５４】
一動作は、スクリーン上の所定状態に達した力点をハイライト表示することであり、例えば、所定状態に達した力点を点灯状態にするか、所定状態に達した力点に圏点を付けるか、若しくは、何らかのマークで所定状態に達した力点を明示する。これにより、ユーザは現在スクリーンの受けている圧力の状態やスクリーンのどの箇所に大きな圧力を受けているかを知り、降圧対策をタイムリーに講ずることができる。
【００５５】
別の一動作は、警告情報を出力することである。警告情報は、スクリーン上の所定状態に達した力点についての説明であってもよい。警告情報は文字情報、音声情報のうちのいずれかの情報または両方の情報を含む。これにより、ユーザは現在スクリーンの受けている圧力の状態やスクリーンのどの箇所に大きな圧力を受けているかを知り、降圧対策をタイムリーに講ずることができる。
【００５６】
本開示の実施形態が提供している上記方法に対応して、本開示の実施形態は、さらにスクリーン保護装置を提供する。
【００５７】
図３に示すように、スクリーン保護装置は、取得モジュール３１と判断モジュール３２とアラームモジュール３３とを備える。
【００５８】
取得モジュール３１は、前記力点および力点の圧力値を含むスクリーンの現在受ける圧力の状態を取得する。
【００５９】
判断モジュール３２は、取得モジュール３１が取得したスクリーン現在の受ける圧力の状態は所定状態に達したか否かを判断する。
【００６０】
アラームモジュール３３は、判断モジュール３２がスクリーンの現在受ける圧力の状態が所定状態に達したと判断した場合、警告動作を実行する。
【００６１】
一実施例において、図４に示すように、判断モジュール３２は、確定サブモジュール３２１と判断サブモジュール３２２を含む。
【００６２】
確定サブモジュール３２１は、力点の個数に基づいて圧力値の所定基準を確定する。
【００６３】
判断サブモジュール３２２は、力点の圧力値が確定サブモジュール３２１に確定された圧力値の所定基準に達したか否かを確定し、達した場合所定状態になったと判断する。
【００６４】
一実施例において、確定サブモジュール３２１は、さらに、力点の個数は１個である場合、圧力値の所定基準を第１サブ基準とし、若しくは、力点の個数は４個より大きいまたは等しい場合、圧力値の所定基準を第２サブ基準と確定する。
【００６５】
一実施例において、第１サブ基準は、力点の受ける圧力値が第１所定圧力値に大きいまたは等しいことを含み、第２サブ基準は、少なくとも１個の力点の圧力値が第１所定圧力値より大きいまたは等しい或いは、少なくとも４個の力点の圧力値が第２所定圧力値より大きいまたは等しいことを含む。
【００６６】
一実施例において、圧力の状態は力点間の距離をさらに含む。
【００６７】
これに応じて、確定サブモジュール３２１は、さらに、力点の個数が２個または２個以上、且つ力点中２つの力点間の距離が所定距離より小さい場合、圧力値の所定基準を第３サブ基準とする。
【００６８】
一実施例において、圧力の状態はさらに力点の受圧時間を含む。
【００６９】
これに応じて、確定サブモジュール３２１は、力点の個数が少なくとも１個であり且つ力点の受圧時間が所定時間より長いとき、圧力値の所定基準を第４サブ基準と確定する。
【００７０】
一実施例において、図５に示すように、アラームモジュール３３は、以下の第１アラームサブモジュール３３１及び/又は、第２アラームサブモジュール３３２いずれかまたは複数のサブモジュームを備える。。
【００７１】
第１アラームサブモジュール３３１は、スクリーンにおける所定状態に達した力点をハイライト表示する。
【００７２】
第２アラームサブモジュール３３２は、警告情報を出力する。警告情報は、スクリーンにおける所定状態に達した力点の位置説明と文字情報及び／または音声情報を含む。
【００７３】
本開示の実施例の第２の態様によれば、スクリーン保護装置を提供する。
【００７４】
前記保護装置は、プロセッサと、プロセッサの実行可能な指令を記憶するためのメモリと、を備え、
ここで、前記プロセッサは、
力点および前記力点の圧力値を含むスクリーンの現在受ける圧力の状態を取得し、
前記スクリーンの現在受ける圧力の状態が所定状態に達したか否かを判断し、、
前記スクリーンの現在受ける圧力の状態が前記所定状態に達した場合、警告動作を行うように構成される。
【００７５】
図６は例示性実施例で示したスクリーン保護装置６００のブロック図である。当該装置は、端末装置に用いられる。たとえば、装置６００は、携帯電話、コンピュータ、デジタル放送端末、メッセージ送受信機器、ゲームコンソール、タブレットデバイス、医療設備、フィットネス機器、ＰＤＡなどであってもよい。
【００７６】
図６を参照すると、装置６００は、処理ユニット６０２、メモリ６０４、電源ユニット６０６、マルチメディアユニット６０８、オーディオユニット６１０、入力/出力（Ｉ／Ｏ）インターフェース６１２、センサユニット６１４、および、通信ユニット６１６のうちの１つまたは複数を含んでもよい。
【００７７】
処理ユニット６０２は、通常は、表示、電話発呼、データ通信、カメラ操作および記録操作に関連する操作のような、装置６００の全般操作を制御する。処理ユニット６０２は、上記方法の全部または一部のステップを実施させるように、指令を実行するための１つまたは複数のプロセッサ６２０を含んでもよい。また、処理ユニット６０２は、処理ユニット６０２と他のユニットとの間の相互作用を容易にするように、１つ又は複数のモジュールを含んでもよい。例えば、処理ユニット６０２は、マルチメディアユニット６０８と処理ユニット６０２との間の相互作用を容易にするように、マルチメディアモジュールを含んでもよい。
【００７８】
メモリ６０４は、各タイプのデータを記憶して装置６００での操作をサポートするように構成される。これらのデータの例示は、装置６００で操作するための任意のアプリケーションもしくは方法の指令、連絡人データ、電話帳データ、メッセージ、ピクチャ、ビデオなどを含む。メモリ６０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【００７９】
電源ユニット６０６は、装置６００のユニットのそれぞれに電力を供給する。電源ユニット６０６は、電源管理システム、１つまたは複数の電源、並びに、装置６００用の電力を生成、管理および配分するに関する他のユニットを含んでもよい。
【００８０】
マルチメディアユニット６０８は、前記装置６００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット６０８は、１つのフロントカメラおよび/またはバックカメラを含む。装置６００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００８１】
オーディオユニット６１０は、オーディオ信号を出力および/または入力するように構成される。例えば、オーディオユニット６１０は、マイク（ＭＩＣ）を備え、装置６００が操作モード、例えば、発呼モード、記録モードおよび音声識別モードであるとき、マイクは、外部オーディオ信号を受信するように構成される。受信されたオーディオ信号は、さらに、メモリ６０４に格納される、または、通信ユニット６１６を介して送信されることができる。一部の実施例では、オーディオユニット６１０は、オーディオ信号を出力するためのスピーカをさらに含む。
【００８２】
Ｉ/Ｏインターフェース６１２は、処理ユニット６０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【００８３】
センサユニット６１４は、様々な側面での状態推定を装置６００に供給するための１つまたは複数のセンサを含む。例えば、センサユニット６１４は、装置６００のオン/オフ状態、ユニットの相対位置を検出することができ、前記ユニットは、例えば、装置６００のディスプレイおよびキーパッドである。センサユニット６１４は、さらに、装置６００もしくは装置６００の１つのユニットの位置変更、ユーザと装置６００との接触の存在もしくは非存在、装置６００の方位もしくは加速/減速および装置６００の温度変化をさらに検出することができる。センサユニット６１４は、如何なる物理的接触もないとき、近辺にある物体の存在を検出するための近接センサを含んでもよい。センサユニット６１４は、さらに、イメージングアプリケーションに使用される光センサ、例えばＣＭＯＳまたはＣＣＤ画像センサを含んでもよい。一部の実施例では、当該センサユニット６１４は、さらに、加速度センサ、ジャイロセンサ、磁気センサ、圧力センサまたは温度センサを含んでもよい。
【００８４】
通信ユニット６１６は、装置６００と他の機器間の無線または有線方式の通信ができるように構成される。装置６００は、通信規格に基づく無線ネットワーク、例えば、ＷｉＦｉ、２Ｇもしくは３Ｇ、またはそれらの組合せにアクセスすることができる。ある実施例では、通信ユニット６１６は、外部ブロードキャスト管理システムからのブロードキャスト信号またはブロードキャスト関連情報をブロードキャストチャネルを介して受信する。ある実施例では、前記通信ユニット６１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００８５】
実施例では、装置６００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００８６】
実施例では、指令を含む非一時的コンピュータ読み取り可能な記憶媒体、例えば、指令を含むメモリ６０４をさらに提供し、上記指令が装置６００のプロセッサ６２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピー（登録商標）ディスクおよび光データ記憶機器などであってもよい。
【００８７】
非一時的なコンピュータは記録媒体を読み取ることができ、前記記録媒体における指令は、前記装置６００のプロセッサにより実行されるとき、前記装置６００はスクリーン保護方法を実施することができる。
【００８８】
前記保護方法は、
力点および前記力点の圧力値を含むスクリーンの現在受ける圧力の状態を取得するステップと、
前記スクリーンの現在受ける圧力の状態が所定状態に達したか否かを判断するステップと、
前記スクリーンの現在受ける圧力の状態が前記所定状態に達した場合、警告動作を行うステップと、を備える。
【００８９】
当業者は明細書を考慮し、ここに公開された開示を実践した後、本開示の他の実施案を容易に想到する。本願は、本開示の如何なる変形、用途または適合もカバーすることを意図する。これらの変形、用途または適合は、本開示の一般的な仕組みに従い、かつ、本開示に公開されていない当分野における公知常識または慣用技術手段を含む。明細書および実施例は単なる例示と見なされ、本開示の本当の範囲および思想は添付する特許請求の範囲によって与えられる。
【００９０】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【００９１】
本発明は、出願番号が２０１５１０８３４５２２.６であり、出願日が２０１５年１１月２５日である中国出願特許を基に提出するものであり、当該中国特許出願の優先権を主張し、当該中国特許出願の全ての内容は、参考のため本願に援用する。
【図１】
0006377151.tif 000002
【図２】
0006377151.tif 000003
【図３】
0006377151.tif 000004
【図４】
0006377151.tif 000005
【図５】
0006377151.tif 000006
【図６】
0006377151.tif 000007